(57)【要約】【課題】光の取出効率が高く、製造の容易な表示パネルを提供する。【解決手段】発光層１４を含む射出層２１と、凹部２４が形成された透明部材（伝達層）とを有し、凹部２４の斜面２４ａを全反射面として機能させて発光層１４から広がる光の一部を反射する表示パネル１０ａを提供する。表示パネル１０ａは、全反射により光の光路変換を行うので、光の吸収損失がなく、光の取出効率が高い。また、反射膜を蒸着する必要がないので、製造も容易である。したがって、高輝度で低コストの表示パネル１０ａを提供できる。【選択図】        図３
2004164912.tif 000002
【特許請求の範囲】
【請求項１】
電極間に印加された電圧により発光する発光層を含む射出層と、
この発光層から出力された光を伝達する伝達層と、
前記伝達層において前記発光層から広がる光の少なくとも一部を前記発光層の射出方向に向けて全反射できる全反射面とを有する表示体。
【請求項２】
請求項１において、前記伝達層は透明部材を有し、
この透明部材の前記射出層に面する側には、少なくとも一方の側面が前記全反射面となる凹部が形成されている表示体。
【請求項３】
請求項２において、前記凹部の内部は、気体が満たされているか、または、ほぼ真空になっている表示体。
【請求項４】
請求項２において、前記射出層が表面に形成された基板を有し、前記透明部材は、当該透明部材の前記凹部の間の凸部が前記発光層とほぼ一致する位置で前記発光層に光学的に密着するように前記基板に接合されている表示体。
【請求項５】
請求項２において、さらに、前記射出層が表面に形成された基板と、
前記透明部材と前記射出層との間に、当該透明部材の前記凹部の間の凸部が前記発光層と光学的に密着するように形成された接着層とを有する表示体。
【請求項６】
請求項５において、前記接着層の厚みは前記凹部の深さより小さい表示体。
【請求項７】
請求項２において、複数の前記発光層を有し、前記凹部の間の凸部は前記発光層と同じピッチで配置されている表示体。
【請求項８】
請求項１において、前記全反射面の傾斜角度は約４０度〜８０度である表示体。
【請求項９】
請求項１において、前記全反射面の傾斜角度は７０度程度である表示体。
【請求項１０】
請求項１において、前記伝達層の射出側に配置された円偏光板を有している表示体。
【請求項１１】
請求項１において、前記発光層は有機エレクトロルミネッセンス発光層である表示体。
【請求項１２】
電極間に印加された電圧により発光する複数の発光層を含む射出層と、
この発光層から出力された光を伝達する伝達層と、
前記伝達層において当該発光層の広がる光の少なくとも一部を前記発光層の射出方向に向けて全反射できる複数の全反射面とを有する表示パネル。
【請求項１３】
請求項１２において、前記伝達層を形成する透明パネルを有し、この透明パネルの前記射出層に面する側には、少なくとも一方の側面が前記全反射面となる複数の凹部が形成されている表示パネル。
【請求項１４】
請求項１３において、前記凹部の間の凸部は前記発光層と同じピッチで配列されている表示パネル。
【請求項１５】
請求項１２ないし１４のいずれかに記載の表示パネルと、この表示パネルの前記発光層を駆動して画像を表示させる駆動装置とを有する表示装置。
【請求項１６】
基板の表面に、電極間に印加された電圧により発光する複数の発光層を含む射出層を形成する第１の工程と、
この第１の工程と同時にまたは前後して、これらの発光層から出力された光を伝達する伝達層となる透明パネルであって、前記発光層の広がる光の少なくとも一部を前記発光層の射出方向に向けて全反射できる複数の全反射面を形成する複数の凹部を備えた透明パネルを形成する第２の工程と、
前記透明パネルの前記凹部の間の凸部が前記発光層とほぼ一致する位置で前記発光層に光学的に密着するように前記透明パネルと前記基板とを接合する第３の工程とを有する表示パネルの製造方法。
【請求項１７】
請求項１６において、前記第３の工程の前に、前記透明パネルの前記凸部にのみ接着剤を塗布する工程を有する表示パネルの製造方法。
【請求項１８】
請求項１７において、前記塗布する工程では、接着剤が全面に塗布された転写台の表面に前記透明パネルを押し付ける表示パネルの製造方法。
【発明の詳細な説明】
【０００１】
【発明の属する技術分野】
本発明は、有機エレクトロルミネッセンス（有機ＥＬ）などの自発光型素子を用いた表示パネルおよびその製造方法に関するものである。
【０００２】
【従来の技術】
近年、自発光型のフラットパネルディスプレイ（ＦＰＤ）として、有機ＥＬ素子を用いた表示パネルや、プラズマディスプレイパネル（ＰＤＰ）を用いたものが盛んに開発されている。これらの表示パネルでは、陽極層と陰極層との間に発光層が配置された構成が１つの表示体であり、画素として機能する。そして、表示体を構成する複数の薄膜の間の界面や、パネルと外界との界面（パネル表面）には光が外部にでない臨界角が存在するので、発光層から出力された光のうち、臨界角以上の角度で所定の層に入射した光はパネル内に閉じ込められ外部に射出されない。このため、実際に発光層から出力された全発光光量のうち、一定の割合の光しか利用することができない。自発光型の素子の一つである有機ＥＬ素子においては、２０％〜３０％程度の光しか表示パネルの外に取り出せないと言われている。
【０００３】
このような光の利用効率または光の取出効率に関する問題を解決するために、臨界角以上の放射角を持つ光を反射したり屈折させることにより臨界角未満に変換する斜面構造をパネル内部に作ることにより光の取出効率を上げることが提案されている。特開平１０−１８９２５１号では、発光層の周囲に楔状の反射部材を配置し、反射性の斜面構造が作り込まれた構成が開示されている。この反射タイプの斜面構造では、透明パネルに所定の溝を形成し、その溝に対して金属部材を蒸着することにより反射性の楔状部材を形成している。
【０００４】
【特許文献１】
特開平１０−１８９２５１号公報
【０００５】
【発明が解決しようとする課題】
表示パネルにおいては、発光層から出力された光の利用効率または取出効率を向上することは常に要求されている。斜面構造を採用することにより、発光層から出力された光の取り出し効率はアップする。しかしながら、反射部材を蒸着した斜面であっても反射するときに数１０パーセントの光が吸収されてしまうことは避けられない。このため、発光層の全発光量の利用効率をさらに向上させることにより明るくコントラストの高い画像が得られるはずである。したがって、従来の反射性の斜面構造では、まだ十分に発光層からの出力光を利用できているとはいえない。さらに、反射性の斜面を構築するために楔状の構造を導入して金属を蒸着することは、そのような構造を備えていない表示パネルに比べると製造工数が増え、製造コストや歩留まりの点でも最良とは言えない。
【０００６】
そこで、本発明においては、発光層から出力された光の利用効率をさらに向上でき、短時間に低コストで製造できる表示パネルおよびその製造方法を提供することを目的としている。そして、この表示パネルを用いることにより、高輝度で低コストの表示装置を提供することも本発明の目的である。
【０００７】
【課題を解決するための手段】
斜面構造は、発光層から出力された光の内、透明パネルなどの伝達層の界面から出力できる射出方向に向いていない光の角度を変換して、射出方向に向け、界面から出力できるようにする点で有用である。しかしながら、反射の際にも吸収があるために光の利用効率は大幅には向上しない。そこで、本発明においては、反射の際の吸収率を下げるために、出力された光を全反射する斜面構造を設けることにより、光の吸収を低減する。すなわち、本発明の表示体は、電極間に印加された電圧により発光する発光層を含む射出層と、この発光層から出力された光を伝達する伝達層と、発光層から、当該発光層から広がる光の少なくとも一部を発光層の射出方向に向けて全反射できる全反射面とを有する。
【０００８】
全反射面による反射は、反射膜を蒸着した斜面の反射のような吸収による損失はない。したがって、光の取出効率を向上できる。さらに、反射材を蒸着したりする手間も省くことができ、製造効率も向上する。このため、本発明を、複数の発光層および複数の全反射面を有する表示パネルに適用することにより、低コストで明るい表示パネルを提供することができる。
【０００９】
ガラスやプラスチック製の透明なパネルが採用されることが多い伝達層においては、その屈折率が大きいと空気との界面における臨界角が小さくなるので、発光層から出力または放射された光の取出効率は低下する。ガラス基板の多くは屈折率が１．５程度であり、屈折率が低いとは言えず、その点では取出効率もそれほど高くならない。しかしながら、本発明においては、臨界角が小さいことは、界面から出力されなかった光を反射するための斜面を全反射面にしたときに全反射できる角度範囲が広がることを意味する。したがって、屈折率が大きなことが必ずしも光の取出効果の低下に繋がらず、強度あるいはコストなどから伝達層に適した材料を用いて取出効果を高くできる。さらに、アルミニウムなどの反射材を製膜する必要がないので、製造工数は低下し、歩留まりが向上する。したがって、明るく、高コントラストの表示パネルを低コストで提供することができる。
このため、本発明の表示パネルと、表示パネルの発光層を駆動して画像を表示させる駆動装置とを用いることにより、高輝度、または明るい画像を表示できる低コストの表示装置を実現できる。
【００１０】
全反射面は、伝達層を形成する透明部材の射出層に面する側に、少なくとも一方の側面が全反射面となる凹部を形成することにより製造することが可能である。伝達層の界面に対して臨界角以上で入射する光をすべて全反射できるような角度の斜面を形成することは伝達層の屈折率によっては難しい可能性もある。斜面の位置によって反射すべき光の角度に分布があるような場合は、臨界角以上になるような場所を全反射面とし、臨界角以下になるような場所には反射材をコーディングすることも可能である。全反射面とする凹部の内部は基板よりも屈折率の低い材料を満たせばよい。例えば、このような材料として、シリカエアロゲルや、フッ素樹脂が適用できるが、より好適には空気などの気体で満たしたり、ほぼ真空の状態とするだけでよい。
【００１１】
本発明の表示パネルは、射出層が表面に形成された基板に対して、透明部材の凹部の間の凸部が発光層とほぼ一致する位置で発光層に光学的に密着するように接合することにより、発光層から出力された光を透明部材に導くことができ、一方、凹部の内部に接着剤などが入り込むことにより臨界角が小さくなることを防止できる。すなわち、凸部と発光層とは接着層により接合しても全反射面の機能が低下するのを防止できる。
【００１２】
したがって、本発明の表示パネルは、基板の表面に、電極間に印加された電圧により発光する複数の発光層を含む射出層を形成する第１の工程と、この第１の工程と同時にまたは前後して、これらの発光層から出力された光を伝達する伝達層となる透明パネルであって、発光層の広がる光の少なくとも一部を前記発光層の射出方向に向けて全反射できる複数の全反射面を形成する複数の凹部を備えた透明パネルを形成する第２の工程と、透明パネルの凹部の間の凸部が発光層とほぼ一致する位置で発光層に光学的に密着するように透明パネルと基板とを接合する第３の工程とを有する方法により製造することが望ましい。この製造方法により反射膜を蒸着することなく高輝度、高コントラストの表示パネルを低コストで製造できる。
【００１３】
射出層が表面に形成された基板と透明部材との接合は、射出層が形成された基板の表面に接着層を形成した状態で基板および透明部材を重ね合わせて接着することにより行うことも可能である。しかしながら、接着層が接着時に凹部に入り込むのを防止するためには、透明部材の凸部にのみ接着剤を塗布することが望ましい。凸部にのみ接着剤を塗布する方法の一つは、接着剤が全面に塗布された転写台の表面に透明パネルを押し付けることである。
【００１４】
また、凹部が接着層で埋まらないようにするには、接着層の厚みを凹部の深さより小さくしておくことが望ましい。さらに、複数の発光層が設けられている表示パネルでは、透明部材の凹部が発光層と異なるピッチで配置されていても良い。しかしながら、伝達層の界面に対して臨界角以下の光が反射あるいは屈折されることは光の利用効率の低下に繋がる。したがって、透明部材の凹部は、発光層と同じピッチで配置しておくことが望ましい。
【００１５】
全反射面となる斜面の傾斜角度は、伝達層の屈折力や発光層から出力された光の放射分布に依存するが、本願の発明者等のシミュレーションによると約４０度〜８０度とすることが望ましい。さらに、全反射面の傾斜角度を７０度程度にすることにより、光の利用効率を高めることが可能である。
【００１６】
伝達層の射出側には円偏光板を配置することも望ましい。円偏光板を設けることにより、表示パネルに外光が入り、斜面あるいは発光層の裏面で反射された外光が外界に再び出力されてコントラストが低下するのを防止できる。さらに、本発明では、斜面における反射は全反射であるので、１回の全反射で発生する偏光間の位相差は４５度程度であり、２回反射により外界に戻るような光が発生したとしても、９０度近い位相差が生じ、完全に除去できないとしても２回反射による外光反射を半分程度まで抑制することが可能である。斜面を用いた表示パネルにおいては、２回反射により外光が外向き（外界方向）に反射される可能性が高く、アルミニウムなどの反射膜を蒸着した斜面においては２回反射により、偏光間の位相差が２倍発生し、円偏光板をほぼ透過してしまうのに比較すると、本発明の全反射により反射する斜面を採用することにより外光反射によるコントラストの低下も抑制できる。
【００１７】
本発明は、自発光型の発光素子、すなわち、自発光型素子を用いている表示体または表示パネルであれば適用することが可能である。このため、ＰＤＰ、発光ダイオード、無機ＥＬ、有機ＥＬ、フィールドエミッションなどを利用した表示体または表示パネルに本発明を適用できる。特に、発光層が有機エレクトロルミネッセンス発光層である有機ＥＬ素子を用いた表示体または表示パネルは光の取出効率が非常に低く、斜面構造を作り込むことが有効とされているので、本発明は非常に有用である。
【００１８】
【発明の実施の形態】
以下に図面を参照して本発明をさらに詳しく説明する。図１に本発明に係る表示パネルが搭載された表示装置として携帯電話機を示してある。本例の携帯電話機１は、データが表示される表示パネル１０ａとして自発光型の素子である有機ＥＬ素子を用いた表示パネルが採用され、マイクロコンピュータなどから構成される駆動装置９により有機ＥＬ素子から光Ｌ１を発光させて文字や画像などのデータがユーザ９０に観測されるようになっている。
【００１９】
図２に表示パネルの一部を拡大した平面図を示してある。また、図３に図２のＩＩＩ−ＩＩＩ断面図を示してある。本例の表示パネル１０ａは、有機エレクトロルミネッセンス（有機ＥＬ）を発光層とする表示体１９が１つの画素として機能し、複数の表示体１９が２次元にアレイ状あるいはマトリクス状に配置されたものである。この表示パネル１０ａは、アクティブマトリックス方式やパッシブマトリックス方式により駆動することができる。各々の表示体１９は、電極間に配置され、電極間に電圧を印加することにより発光する発光層１４を含む射出層２１と、この射出層２１に積層され、発光層１４から出力された光Ｌ１を伝達する伝達層３５とを有しており、伝達層３５に形成された全反射面２４ａにより発光層１４から出力または放射された光の一部を全反射させて射出角度を変換するようになっている。
【００２０】
図４に表示体１９のさらに詳しい構成を示してある。射出層２１は、ガラス基板などのベースとなる基板１１の上に積層された層である。まず、ガラス基板１１の上面１１ａにＩＴＯからなる陽極層１２が選択的に作り込まれており、さらに、陽極電極１２から外れた位置にポリイミドからなるバンク層１３が形成されている。そして、陽極電極１２の上面、すなわち、バンク層１３により四方が囲われた領域に有機ＥＬ発光層１４が積層されている。
【００２１】
発光層１４は、インクジェット技術を利用して製造することが可能であり、この点でバンク層１３は発光層１４を積層する際のアライメントに利用する層である。本例の発光層１４は有機ＥＬからなる単独の層とすることも可能であるし、発光効率を改善するためにホール輸送層や電子輸送層を付加した層とすることも可能である。
【００２２】
バンク層１３および発光層１４の上にはＩＴＯからなる陰極層１５が形成されており、陽極層１２および陰極層１５に電圧を印加することにより、これらの電極間に配置された発光層１４が自発的に発光する。陰極層１５の上面には酸化シリコン（ＳｉＯ２）からなる保護層１６が積層されている。
【００２３】
本例の伝達層３５は厚さ約０．５ｍｍの透明なポリカーボネート製のシートで形成されている。このシート２２の裏面となる一方の面２２ａに深さ３０〜７０μｍのＶ字状の溝（凹部）２４が形成され、裏面２２ａは凹凸形状とされている。凹部２４はＶ字状の溝に限定されずに台形形状とすることも可能であり、発光層１４の両側に位置する側面２４ａが傾斜した面となる凹部が形成されれば良い。この伝達層３５は、凹部２４の間に存在する凸部２５が発光層１４の上に保護層１６を介して重なるように、保護層１６の上面に、厚さ約３μｍの接着層１７を介して積層されている。接着剤１７は、凸部２５にのみ塗布されており、凸部２５と発光層１４とを光学的に密着させる機能も果たす。したがって、発光層１４から出力された光は接着層１７を介して伝達層３５に入射し、伝達層３５を介して出力される。接着剤１７としては、エポキシなどの熱硬化型樹脂や紫外線硬化型樹脂などを用いることが可能であるが、紫外線硬化型樹脂を用いると、樹脂の硬化時に照射する紫外線によりＥＬ層（発光層）１４がダメージを受ける可能性があるので、ＥＬ層への影響を考慮した接着剤１７を選定することが望ましい。
【００２４】
また、接着剤１７が伝達層３５の凸部２５にのみ塗布されているので、伝達層３５の凹部２４には接着剤が入り込むことがなく、凹部２４の内部は空気で満たされる。表示パネル１０ａに適当なパッケージングを施すことにより、空気以外の気体で満たすことも可能であり、また、減圧して真空となるようにしても良い。さらに、伝達層３５の前面２２ｂには、外光反射を抑制するための偏光板と位相差板からなる円偏光層２３（図３）が形成されている。なお、この本実施の形態では、伝達層３５は、透明部材２２と円偏光層２３と含む。もちろん、伝達層３５から偏光層２３を省略してもよい。
【００２５】
図５に発光層１４から出力または放射された光が出力される様子を示してある。本例の透明部材２２（伝達層３５）は、屈折率ｎが約１．５のポリカーボネートであり、凹部２４の内部は気体で満たされているか、またはほぼ真空とされている。つまり、斜面２４ａは、透明部材２２の屈折率よりも小さい屈折率を有する領域（凹部２４で囲まれた空気の領域）と透明部材２２（伝達層３５）とが接する部分である。この結果、斜面（側面）２４ａに対して臨界角θ１以上の入射角で入射した光は斜面２４ａで全反射される。透明部材２２の臨界角θ１（θ１＝ａｒｃｓｉｎ（１／ｎ））は約４２度である。円偏光層２３は、その屈折率が透明部材２２（伝達層３５）の屈折率を同じとなるように材料が選択されている。このため、本実施の形態では、円偏光層２３の屈折率は約１．５である。したがって、境界２２ｂに入射する光線に対して全反射は生じない。一方、円偏光層２３の界面２３ａは空気の層と接する。このため、円偏光層２３から外部へ射出する光線について、界面２３ａの臨界角は斜面（側面）２４ａの臨界角θ１と同じである。
【００２６】
発光層１４から出力される光がほぼ点光源から放射された光と同様に広がりながら出力される。このため、発光層１４から透明部材２２に対して、その界面２３ａに対する入射角が臨界角以下になるように射出された光Ｌ１は、そのまま界面２３ａを通過して外界に出力される。この光Ｌ１の射出方向に対して、広がる光Ｌ２は、透明部材２２に形成された斜面２４ａに当たり、斜面２４ａに対して臨界角θ１以上の角度で入射した光Ｌ２が斜面２４ａで全反射されて光Ｌ１の射出方向に向いて出力され、透明部材２２から外界に出力される。
【００２７】
斜面２４ａの傾斜角度θが、たとえば７０度程度に設定されていると、発光層１４の中央Ｏを発光点とする光のうち、伝達層３５の界面である表面２３ａに対して臨界角θ１で入射する光Ｌ２を、表面２３ａに対してほぼ垂直（入射角が０）に反射することができ、光Ｌ２を外界に出力できる。そのときの光Ｌ２の斜面２４ａに対する入射角θ２は約６９度であり、屈折率ｎが１．５の透明部材２２の臨界角θ１（約４２度）に比べて十分に大きいので、斜面２４ａにより全反射される。さらに、光Ｌ２より大きな角度で出力され、斜面２４ａに対して臨界角θ１以上で入射する範囲の光Ｌ３（図５に囲んだ領域）は、斜面２４ａにより全反射され、表面２３ａに対して臨界角θ１以下の角度で出力される。したがって、斜面２４ａがなければ、表面２３ａで全反射してしまう光が、斜面２４ａで全反射されて光路が変換され、表面２３ａから出力される。
【００２８】
本例の表示パネル１０ａでは、斜面２４ａに対して臨界角θ１以下で入射する範囲の光Ｌ４（図５に囲んだ領域）は、斜面２４ａを透過してしまい反射されない。しかしながら、斜面２４ａに対して臨界角θ１以上の角度で入射する光Ｌ３については、アルミニウムなどの反射材を用いた場合は、吸収による損失により数１０パーセントの反射率しか得られないのに対し、ほぼ１００パーセントの反射率が得られる。したがって、斜面２４ａに対して臨界角θ１以下で入射する範囲の光Ｌ４が透過したとしても、従来の斜面構成と同等あるいはそれ以上の光の取出効率が得られる。さらに、斜面２４ａに対して臨界角θ１以下で入射する範囲の光Ｌ４が当たる領域に反射材を製膜することにより、この領域の光を取り出すことも可能である。
【００２９】
図６に表示パネル１０ａから取出される光の効率（光取出効率）と斜面２４ａの角度との関係を示してある。図中の曲線Ｃは斜面２４ａにおいて全反射させた場合の表示パネル１０ａからの光取出効率を示しており、曲線Ｄは斜面２４ａに反射膜を設けた場合のの表示パネル１０ａからの光取出効率を示してある。曲線Ｄは、反射率が１００％である理想的な反射膜を想定してプロットされた曲線である。なお、図６に示した結果は、発光層１４の平面形状を１９０μｍ×５０μｍ、凹部の幅は４０μｍで発光層１４（画素）の周りを取り囲む形状としている。さらに、透明部材２２の屈折率は約１．５２としている。
【００３０】
本図からわかるように、斜面２４ａにより全反射させることにより、一部の領域を除いて、斜面２４ａ上の反射膜で反射をしたときとほぼ同じ光取出効率が得られている。反射膜を蒸着した従来の構成においては、アルミニウムの反射率が実際には９０パーセント程度あるいはそれ以下なので、全角度領域において曲線Ｄより１０％以上低い値となる。したがって、本発明により、従来の反射型の斜面を用いた構成に対して全角度領域で高い反射率が得られ、光の利用効率を向上できることがわかる。
【００３１】
また、本図からわかるように、光取出効率の向上が大きく見込めるのは、斜面の傾斜角度θが４０度〜８０度程度の範囲であり、これらの領域であれば、他の角度範囲の光の利用効率がほぼ０．４未満であるのに対し、０．４以上の光の取出効率が得られる。そして、最も高い効率が得られるのは傾斜角度θが７０度程度のときであり、ほぼ０．６以上の高い取出効率が得られる。理論的には、傾斜角度θを６９度とすると、発光層１４から出力された光の放射分布のうち、片側の放射角φが６９度までの範囲の光を斜面２４ａで全反射して透明パネル２２から出力できるので、発光層１７から出力される主要な角度の光をほぼ全て透明パネル２２から射出する方向に整えることができるためであると考えられる。
【００３２】
このように、本例の表示パネル１０ａでは、斜面に反射膜を蒸着するのではなく、伝達層３５である透明パネル２２に形成した凹部２４の側面で発光層１４から放射された光の一部を全反射させて光路変換し、反射膜による吸収損失を防いでいる。さらに、従来は、屈折率の大きな透明パネルまたは透明部材２２は、光を射出し難いために利用され難かったが、本発明によれば、斜面における臨界角が小さくなるので、斜面の反射効率を増すことができ、光の利用効率の低下はそれほどなく、屈折率の大きな素材を自発光素子用の表示パネルの伝達層３５として利用できる可能性が増す。したがって、１．５などと屈折率の大きな透明パネルまたは透明部材２２を用いて高輝度または明るい表示パネルを製造または提供できる。しかも、反射膜を蒸着する必要がないので、歩留まりが良く、製造コストの低い表示パネルを提供できる。そして、高輝度でありながら低コストの本発明に係る表示パネル１０ａを用いて、明るい画像を表示できる低コストの表示装置１を提供できる。
【００３３】
図７および図８に表示パネル１０ａの製造方法を示してある。まず、図７（ａ）に示すように、厚さが約０．５ｍｍのポリカーボネート（透明部材）の片面２２ａに、深さが３０μｍ〜７０μｍのＶ字状の溝（凹部）２４を形成する（上述した第２の工程に相当）。上述したように、凹部２４の側面または斜面２４ａの傾きを７０度程度にすることが望ましい。また、凹部２４を形成するのに前後して、あるいは後述するように、透明部材２２と射出層２１が形成された基板１１を接合した後に、透明部材２２の表面２２ｂに円偏光板２３を接合する。
【００３４】
次に、図７（ｂ）に示すように、表面３０ａに接着剤１７が転写された転写台３０に、凹凸形状が形成された片面２２ａが密着するように透明部材２２を押し付ける（上述した塗布する工程に相当）。これにより、図７（ｃ）に示すように、透明部材２２を転写台３０から離すと、透明部材２２の凸部２５にのみ接着剤１７が塗布される。このとき、接着剤１７の種類にもよるが、転写台３０の前面３０ａに転写された接着剤１７の半分の厚みの接着剤１７が凸部２５に転写される。
【００３５】
図７（ｄ）に示すように、上記の透明部材２２を用意する過程に前後して、あるいは、適当なタイミングで、基板１１に対して発光層１４を含む射出層２１を形成する（上述した第１の工程に相当）。そして、図８に示すように、透明部材２２の凸部２５が発光層１４と重なるように、透明部材２２と基板１１を密着させ、熱または紫外線により接着剤１７を硬化して透明部材２２と基板１１により射出層２１が挟まれた表示パネル１０ａを製造する。このように、本発明の表示パネル１０ａにおいては、製造時に反射膜を斜面に製膜する必要がないので、製膜のためのプロセス、たとえば、蒸着を省くことができ、短時間に低コストで製造することが可能である。
【００３６】
本例の表示パネル１０ａにおいては、透明部材２２の表面２２ｂに円偏光板２３を取り付けてあるので、外光反射によるコントラストの低下が防がれた構造となっている。しかしながら、図９に示すように２回反射が発生すると、円偏光板２３では、外光反射が防止できないと考えられている。すなわち、凹部２４が作り込まれた表示パネル１０ａにおいては、パネル１０ａに入り込んだ外光３１は、一度斜面２４ａで水平方向に反射され、再度、対向する斜面２４ａで反射されると、透明部材２２の表面２２ｂから外部に出力される可能性がある。斜面に反射膜が形成されていると、確かに、この外光３１は、斜面２４ａでの２回の反射によって位相差が２倍発生し、円偏光板２３をほとんど通過してしまい、コントラストを低下させる原因となる。
【００３７】
しかしながら、本例の表示パネル１０ａでは、斜面または凹部が作り込まれているが、斜面２４ａは全反射面となっている。したがって、まず、斜面２４ａに対して臨界角以下で当たる外光は斜面２４ａでは反射されない。２回反射して透明部材２２から外界に出力されるような角度になる外光は、図９に示したような水平方向に透明部材２２を伝達する光であり、そのほとんどは斜面２４ａに対して臨界角以下で入射するので２回反射が発生する可能性が低い。このため、外光が斜面２４ａを多重反射して再び外界に出力される可能性は低くなる。したがって、発光層１７の裏側を光吸収性にすることにより、全反射式の斜面２４ａを採用すれば、円偏向板２３を省いた表示パネル１０ａであっても外光の影響をかなり抑えることができる。
【００３８】
また、２回反射が発生したときのことを考えると、全反射面において１回の反射で発生する位相差は約４５度であり、２回反射により約９０度の位相差が発生する。このため、円偏向板を設けておくことにより２回反射により円偏光板に入射された光の約半分は円偏光板２３を通過することになるが、残りの半分は円偏光板２３を通過しない。したがって、外部に出力される外光の光量を抑制することが可能であり、コントラストの低下を少なくできる。別の言い方をすれば、本例の表示パネル１０ａでは、全反射面２４ａを用いて発光層１４から出力された光の光路変換を行っているが故に、円偏光板２３を設置するだけで、外光反射の抑制でき、コントラストの低下を少ないレベルに維持できる。
【００３９】
図１０に異なる表示パネル１０ｂの概略を、断面図を用いて示してあり、図１１に射出層２１が形成された基板１１と透明部材２２を接合する様子を示してある。本例の表示パネル１０ｂは、射出層２１が形成された基板１１に対してスピンコートにより３μｍの厚みの透明な熱硬化樹脂からなる接着剤１７を塗布し、基板１１と透明部材２２を接合したものである。具体的には、合わせマークを用いて基板１１と透明部材２２を位置合わせして、減圧雰囲気中で接触させる。そして、必要に応じて位置の微調整を行い、加圧と加熱を行って接合する。このような表示パネル１０ｂにおいても、凹部２４の側面２４ａが全反射面として機能するので、光の取出効率の向上と共に製造工程の簡略化を図ることができる。
【００４０】
しかしながら、このように接着剤１７がベース基板１１の一面に塗布する方法の場合、接着剤１７が厚いと凹部２４が接着剤１７で埋められてしまう可能性がある。凹部２４に接着剤１７が入り込むと、斜面２４ａが汚れるなどして、発光層１４から出力された光を全反射するための条件が変化してしまうので、図１２に示すように、凹部２４に入り込む接着剤１７ａを少なくすることが望ましい。このため、スピンコートなどにより接着層１７の厚みを薄くし、凹部２４の斜面２４ａを確実に全反射面として機能させることが好ましい。
【００４１】
なお、上記では、凹部２４を発光層（または画素）１４と同じピッチで配置した構成としているが、凹部２４のピッチはこれに限定されなくても表示パネルは構成できる。しかしながら、発光層１４の前方に凹部があると、発光層１４から射出方向に出力された光が斜面により屈折したり全反射されて取出効率が低下する可能性がある。したがって、上述した表示パネルのように、画素となる発光層１４と、透明パネルに形成される凹凸のピッチは一致していることが望ましい。
【００４２】
また、本発明の表示パネルを携帯電話機に搭載される表示パネルを例に説明したが、ＰＤＡなどに搭載される小型の表示パネルにも本発明を適用することが可能であるし、近年、開発が盛んである３０インチなどの大型の表示パネルについても本発明を適用できる。また、有機ＥＬ素子を用いた発光層を説明したが、ＰＤＰ、発光ダイオード、無機ＥＬ、有機ＥＬ、フィールドエミッションなどの電極間に電圧を印加することにより自発的に発光する発光層を用いた表示パネルであれば本発明を適用することが可能である。
【００４３】
【発明の効果】
以上に説明したように、本発明においては、反射膜を蒸着するのではなく、全反射面により発光層から広がる光の一部を反射するようにしている。これにより、反射損失を無くすことが可能になり、高い光の取出効率が得られる。それと共に、反射膜を蒸着する必要がないので、非常に容易に製造できる。したがって、光の取出効率の向上と製造コストの低減を同時に達成することが可能であり、高輝度または明るい画像を表示可能な低コストの表示体、表示パネルおよび表示装置を提供できる。
【図面の簡単な説明】
【図１】本発明に係る表示パネルが搭載された表示装置（携帯電話機）を示す図である。
【図２】本発明に係る表示パネルの概略を示す平面図である。
【図３】本例の表示パネルの概略を示す断面図である。
【図４】本例の表示パネルの射出層の詳細を示す断面図である。
【図５】発光層から広がる光の一部が斜面で反射される様子を示す図である。
【図６】全反射面で光を反射させる表示パネルと、斜面で１００％の光を反射させる表示パネルの光の取出効率を斜面の角度に応じて比較した図である。
【図７】表示パネルを製造する方法を示す図である。
【図８】射出層が形成された基板と透明部材を接合する様子を示す図である。
【図９】円偏光板で外光反射を抑制できる原理を説明するための図である。
【図１０】異なる表示パネルの概略を示す断面図である。
【図１１】図１０に示す表示パネルにおいて、射出層が形成された基板と透明部材を接合する様子を示す図である。
【図１２】凹部に接着剤が入り込んだ様子を示す図である。
【符号の説明】
１    携帯電話機
１０ａ、１０ｂ    表示パネル
１１    ベース基板
１３    バンク層
１４    発光層
１７    接着層
２１    射出層
２２    透明部材
２３    円偏光板
３５    伝達層
２４    凹部
２４ａ    斜面（全反射面）
２５    凸部
【図１】
2004164912.tif 000003
【図２】
2004164912.tif 000004
【図３】
2004164912.tif 000005
【図４】
2004164912.tif 000006
【図５】
2004164912.tif 000007
【図６】
2004164912.tif 000008
【図７】
2004164912.tif 000009
【図８】
2004164912.tif 000010
【図９】
2004164912.tif 000011
【図１０】
2004164912.tif 000012
【図１１】
2004164912.tif 000013
【図１２】
2004164912.tif 000014